(57)【特許請求の範囲】
【請求項１】
回転蓋又は回転扉の閉成時の衝撃を緩和するために配設される回転蓋又は回転扉の緩衝装置において、
回転蓋又は回転扉に連結されると共に、一端が回転可能に軸支されたアームと、
該アームの軸支位置よりも他端寄りの位置に回転蓋又は回転扉の閉成方向に突出し、側面から見たときにアームの他端側から一端側に向かってかつ回転蓋又は回転扉の閉成方向に向かって斜めに穿設された軸受け孔を有する突出板部と、
一端が該突出板部の軸受け孔に挿通されたピンに軸支されたリンクと、
該リンクの他端に連結され、回転蓋又は回転扉の開閉動作に伴って直線運動をする押圧部材と、
該押圧部材の運動方向に沿って該押圧部材と縦列に、かつケーシングから突出している作動ロッドの先端部が回転蓋又は回転扉の開放時には該押圧部材と所定間隔を有する位置に配設されるアブソーバと、
一端が押圧部材に、他端がアブソーバを支持しているフレーム若しくはアブソーバ自体の適宜位置に固定され、該アブソーバの外周囲をガイドとして押圧部材を回転蓋又は回転扉の開放方向に付勢するスプリングと、
を有するとともに、
回転蓋又は回転扉の開放時における前記アブソーバの作動ロッドの先端部と前記押圧部材との間隔を調整可能であることを特徴とする回転蓋又は回転扉の緩衝装置。
【発明の詳細な説明】
【０００１】
【発明の属する技術分野】
本発明は扉等の回転対象物の閉成時の衝撃を緩和するための扉等の緩衝装置に関する。
【０００２】
【従来の技術】
例えば、ラップトップパソコン、ピアノ、洋式便器等に用いられている回転蓋、あるいは玄関ドア、室内ドア等として用いられる回転扉など（本明細書においてはこれらを総称して「扉等」という）においては、閉成動作の最終点における衝撃を緩和するため、種々の緩衝装置が配設されている。
【０００３】
このような緩衝装置としては、例えば、扉等の回転軸に連結される回転ダンパがある。これは、扉等の回転に伴い回転ダンパの作動軸が回転し、該作動軸に取り付けられている壁部を境として粘性液体の移動が行われることにより、扉等の閉成動作が遅動せしめられるものである。
【０００４】
【発明が解決しようとする課題】
しかしながら、この種の回転ダンパを用いた場合、扉等が閉成動作を始めると同時に、通常、所定の制動力が発揮される。従って、閉成動作開始時のトルクの小さい間は、制動力が相対的に大きく、閉成動作が遅くなりすぎる傾向がある。
【０００５】
本発明は上記した課題を解消するためになされたものであり、扉等の回転トルクが小さい間は小さな制動力を付与し、扉等の回転トルクが大きくなったときには大きな制動力を付与することができる扉等の緩衝装置を提供することを目的とする。
【０００６】
【課題を解決するための手段】
上記目的を達成するため、本発明の回転蓋又は回転扉の緩衝装置は、回転蓋又は回転扉の閉成時の衝撃を緩和するために配設される回転蓋又は回転扉の緩衝装置において、
回転蓋又は回転扉に連結されると共に、一端が回転可能に軸支されたアームと、
該アームの軸支位置よりも他端寄りの位置に回転蓋又は回転扉の閉成方向に突出し、側面から見たときにアームの他端側から一端側に向かってかつ回転蓋又は回転扉の閉成方向に向かって斜めに穿設された軸受け孔を有する突出板部と、
一端が該突出板部の軸受け孔に挿通されたピンに軸支されたリンクと、
該リンクの他端に連結され、回転蓋又は回転扉の開閉動作に伴って直線運動をする押圧部材と、
該押圧部材の運動方向に沿って該押圧部材と縦列に、かつケーシングから突出している作動ロッドの先端部が回転蓋又は回転扉の開放時には該押圧部材と所定間隔を有する位置に配設されるアブソーバと、
一端が押圧部材に、他端がアブソーバを支持しているフレーム若しくはアブソーバ自体の適宜位置に固定され、該アブソーバの外周囲をガイドとして押圧部材を回転蓋又は回転扉の開放方向に付勢するスプリングと、
を有するとともに、
回転蓋又は回転扉の開放時における前記アブソーバの作動ロッドの先端部と前記押圧部材との間隔を調整可能であることを特徴とする。
【０００７】
【実施の形態】
本発明の実施の形態を図面に基づき説明する。図において、１は緩衝装置を示し、フレーム２、アーム３、突出板部４、リンク５、押圧部材６、アブソーバ７、スプリング８等を備えて構成されている。
【０００８】
フレーム２は、扉等により開閉される開口部を有する本体部（図示せず）に固定されて配設され、後述のアーム３、アブソーバ７等を保持する機能を果たす。フレーム２はこのような機能を果たすものであればいかなる形態であってもよい。図面に示した例では、ネジ等により本体部に直接固定されるベース部２１と、該ベース部２１に対して直角に立ち上がるように形成された側壁部２２ａ，２２ｂ、底壁部２２ｃ、前壁部２２ｄからなり、押圧部材６、アブソーバ７等が内部に収容される収容部２２と、から構成されている。
【０００９】
アーム３は、一端３１が、フレーム２の収容部２２の側壁部２２ａ，２２ｂ間に掛け渡された軸３２に回転自由に支持されていると共に、軸３２に支持されている一端３１を中心として他端３３側が上下方向に回動するように設けられている。他端３３側には扉等（図示せず）の基端部がネジ等を介して連結される。
突出板部４は、図２及び図３に示すように、アーム３の軸支位置、すなわち軸３２が配設されている位置よりも他端３３寄りの位置において、閉成方向Ｘ側に突出するように設けられている。また、この突出板部４には、側面から見たときに、アーム３の他端３３側から一端３１側に向かってかつ扉等の閉成方向Ｘに向かうように斜めに長く穿設された長孔状の軸受け孔４１が形成されている。この軸受け孔４１は、直線的に形成された長孔であってもよいし、図２及び図３に示したように、軸３２を中心とした円弧に沿って僅かに湾曲した形状の長孔であってもよい。
【００１０】
なお、突出板部４は、図面に示した例では上記したアーム３の両側部に、該アーム３と一体的に設けられているが、アーム３とは別体に形成したものをネジ等によりアーム３に固定してもよいことはもちろんである。
【００１１】
リンク５は、図１の正面から見たときに略Ｔ字状の形態を有しており、一端部５１には、対面する２つの突出板部４の軸受け孔４１間に掛け渡される第１のピン５２が挿通されている。他端部５３は第２のピン５４が挿通されて支持されているが、この第２のピン５４は、フレーム２の側壁部２２ａ，２２ｂにおいて側壁部２２ａ，２２ｂの長手方向に沿って設けられた長孔２２ｃ，２２ｃに掛け渡されて配設されている。
【００１２】
押圧部材６は、フレーム２の収容部２２内を上下方向（側壁部２２ａ，２２ｂの長手方向）に沿って移動し得るように設けられており、図面に示した例では、リンク５の他端部５３と共に第２のピン５４に上側フランジ部６１が軸支されて連結されている。押圧部材６の下側筒部６２は、上側フランジ部６１の径よりも小さい径で、図面に示した態様では、後述のアブソーバ７の外径とほぼ同じ径で形成されており、アブソーバ７と共にスプリング８のガイドとして機能する。
【００１３】
アブソーバ７は、フレーム２の収容部２２を形成する底壁部２２ｃ上であって、該押圧部材６の運動方向に沿って該押圧部材６と縦列の位置に、すなわち、図面に示した例では押圧部材６の下方に配設される。また、アブソーバ７のケーシング７１から突出している作動ロッド７２の先端７２ａの位置が、扉等の開放時において押圧部材６の下側筒部６２の下端面に接しないよう、所定の間隔を有するように配置される。なお、図示しないが、例えば、アブソーバ７の底部に雄ねじ部を突設し、フレーム２の底壁部２２ｃに形成した雌ねじ部（図示せず）と螺合可能にしてねじ込み量を調整することによりアブソーバ７の位置を調整し、これにより、押圧部材６と作動ロッド７２の先端との扉等の開放時における間隔を調整可能とすることもできる。このようにすることで、アブソーバ７の制動力の発揮位置を変化させることができ、種々の扉等への対応が可能となる。アブソーバ７としては、ケーシング７１内の空間に粘性液体が充填されていると共に、作動ロッド７２の他端にピストン（図示せず）を有し、作動ロッド７２の先端７２ａ（図３参照）に押圧部材６が接触して、作動ロッド７２と共にピストンがケーシング７１内を下方に移動すると、粘性液体がオリフィスを通じて移動し、その際に発生する動圧抵抗、粘性抵抗により制動力を発揮することができるものであれば、公知のいかなるショックアブソーバであってもよい。
【００１４】
スプリング８は、常態において押圧部材６を扉等の開放方向に付勢し、押圧部材６が扉等の閉成方向に移動してアブソーバ７の作動ロッド７２に接触するまでの間、該スプリング８の弾発力だけを扉等の閉成動作を遅動させるために利用するよう配設される。図面では、コイルスプリングの一端部８１を押圧部材６の上側フランジ部６１に固定し、他端部８２をフレーム２の収容部２２の底壁部２２ｃに固定している。また、スプリング８は、アブソーバ７の外周囲に外装され、図面に示した例ではさらに押圧部材６の下側筒部６２の外周囲にも外装されて、該アブソーバ７及び押圧部材６の下側筒部６２にガイドされて伸縮するように設けられている。なお、スプリング８の各端部８１，８２を固定する個所はこれに限定されるものではなく、一端部８１は押圧部材６であればいずれの位置であってもよく、他端部８２はアブソーバ７のケーシング７１の外周囲のいずれかに固定することもできる。
【００１５】
ここで、図面に示した実施の形態では、フレーム２の収容部２２内に、リンク５、押圧部材６、アブソーバ７及びスプリング８を並列的に２個ずつ配設し、アーム３、軸３２、第１のピン５２及び第２のピン５４としては、これらの並列的に２個ずつ配設した部材に相当する長さを有するものを用いている。これは、扉等の重さや制動力の大きさによって適宜選択されるもので、アブソーバ７等を３個以上配設する構成としてもよいし、１個だけ配設する構成としてもよい。
【００１６】
次に、かかる構成の緩衝装置１の作用を説明する。扉等を開放状態からＸ方向に回動させて閉成すると、これに伴って、アーム３も軸３２を中心としてＸ方向に回動する。これに伴い、第１のピン５２が軸受け孔４１内を移動すると共に、第２のピン５４が長孔２２ｃ，２２ｄに沿って移動する。第２のピン５４には、押圧部材６の上側フランジ部６１が連結されているため、第２のピン５４が長孔２２ｃ内を移動することにより、押圧部材６がスプリング８の弾発力に抗して押し下げられる。その結果、スプリング８の抵抗を受ける分だけ、アーム３及び扉等の閉成速度が遅動せしめられることになる。扉等がさらに閉成し、トルクが大きくなってくると、第２のピン５４と共に押し下げられる押圧部材６の下側筒部６２の底面がアブソーバ７における作動ロッド７２の先端７２ａに当接する。その結果、該作動ロッド７２の他端に取り付けられているピストンがケーシング７１内を移動するため、粘性抵抗等を受けて、大きな制動力が発揮される。従って、アーム３及びこれに連結された扉等は、回転トルクが大きくなったときに大きな制動力を受けるため、閉成回転の最終点まで確実に閉成速度がゆっくりしたものとなる。
【００１７】
【発明の効果】
本発明の扉等の緩衝装置によれば、扉等の閉成動作開始時のトルクの小さい間は、スプリングの弾発力のみで閉成動作を遅動させる構成であるため、従来の閉成動作開始時から回転ダンパの抵抗を働かせる緩衝装置と比較して、閉成速度が遅くなりすぎることはない。また、回転トルクが大きくなったときには、アブソーバにより閉成速度を遅動させる構成であるため、閉成回転の最終点における扉等の衝撃を確実に緩和することができる。
【図面の簡単な説明】
【図１】本発明にかかる扉等の緩衝装置の一の実施の形態を示す図で、フレームの収容部内を示す正面図である。
【図２】上記実施の形態を示す側面図である。
【図３】扉等の開放時における上記実施の形態を示す側面図である。
【符号の説明】
１  緩衝装置
２  フレーム
３  アーム
４  突出板部
５  リンク
６  押圧部材
７  アブソーバ
８  スプリング
【図１】
0003645628.tif 000002
【図２】
0003645628.tif 000003
【図３】
0003645628.tif 000004